【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
マルチモード携帯端末に無線ローカルエリアネットワークへのアクセス権を付与するための方法であって、前記携帯端末は少なくともセルラーモードと無線モードとを切り替えることができ、またセルラーネットワークの加入者に対応しており、前記無線ローカルエリアネットワークおよびセルラーネットワークはそれぞれ別々の事業者によって管理され、
前記無線ローカルエリアネットワークへのアクセスに対する前記携帯端末による要求から前記携帯端末および前記無線ローカルエリアネットワークを識別するステップと、
前記識別に基づいて、前記無線ローカルエリアネットワークが前記携帯端末に前記セルラーネットワークの加入者としての前記無線ローカルエリアネットワークへのアクセス権を付与することを認可するステップと、
認可されたとおりに前記携帯端末に前記無線ローカルエリアネットワークへのアクセス権を付与するステップとを含み、
前記識別、認可、および付与のステップが少なくとも1つの電子コンポーネントまたはモジュールにおける電子処理によって実行される方法。
【請求項２】
マルチモード携帯端末に無線ローカルエリアネットワークへのアクセス権を付与するためにセルラーネットワークによって実行される方法であって、前記携帯端末は少なくともセルラーモードと無線モードとを切り替えることができ、また前記セルラーネットワークの加入者に対応しており、前記無線ローカルエリアネットワークおよびセルラーネットワークはそれぞれ別々の事業者によって管理され、
前記セルラーネットワークが前記無線ローカルエリアネットワークへのアクセスに対する前記携帯端末による要求から前記携帯端末および前記無線ローカルエリアネットワークを識別するステップと、
前記識別するステップに基づいて、前記セルラーネットワークが前記無線ローカルエリアネットワークが前記携帯端末に前記セルラーネットワークの加入者としての前記無線ローカルエリアネットワークへのアクセス権を付与することを認可するステップとを含む方法。
【請求項３】
セルラーネットワークからセルラーサービスをマルチモード携帯端末に提供し、前記携帯端末が少なくともセルラーモードと無線モードとを切り替えることができるステップと、
無線ローカルエリアネットワークと前記携帯端末との間の通信を可能にする認可を前記セルラーネットワークから前記無線ローカルエリアネットワークに付与するステップとを含み、
それぞれのネットワークは別々の事業体によって管理される方法。
【請求項４】
マルチモード携帯端末に無線ローカルエリアネットワークへのアクセス権を付与するために前記無線ローカルエリアネットワークによって実行される方法であって、前記携帯端末が、少なくともセルラーモードと無線モードとを切り替えることができ、セルラーネットワークの加入者に対応しており、前記無線ローカルエリアネットワークおよびセルラーネットワークのそれぞれのネットワークは別々の事業体によって管理され、
前記無線ローカルエリアネットワークが前記携帯端末に前記セルラーネットワークの加入者としての前記無線ローカルエリアネットワークへのアクセス権を付与する認可を前記セルラーネットワークから受信するステップと、
前記無線ローカルエリアネットワークが認可されたとおりに前記携帯端末に前記無線ローカルエリアネットワークへのアクセス権を付与するステップとを含む方法。
【請求項５】
マルチモード携帯端末に無線ローカルエリアネットワークへのアクセス権を付与するために前記マルチモード携帯端末によって実行される方法であって、前記携帯端末は、少なくともセルラーモードと無線モードとを切り替えることができ、セルラーネットワークの加入者に対応しており、前記無線ローカルエリアネットワークおよびセルラーネットワークはそれぞれ別々の事業体によって管理され、
前記携帯端末が前記無線ローカルエリアネットワークへのアクセス権を要求するステップと、
前記携帯端末が前記セルラーネットワークの加入者として前記無線ローカルエリアネットワークにアクセスするステップとを含む方法。
【請求項６】
マルチモード携帯端末に無線ローカルエリアネットワークへのアクセス権を付与するためにセルラーネットワークおよび前記無線ローカルエリアネットワークによって実行される方法であって、前記携帯端末は、少なくともセルラーモードと無線モードとを切り替えることができ、セルラーネットワークの加入者に対応しており、前記無線ローカルエリアネットワークおよびセルラーネットワークはそれぞれ別々の事業体によって管理され、
前記セルラーネットワークが前記無線ローカルエリアネットワークへのアクセスに対する前記携帯端末による要求から前記携帯端末および前記無線ローカルエリアネットワークを識別するステップと、
前記識別するステップに基づいて、前記セルラーネットワークが前記無線ローカルエリアネットワークが前記携帯端末に前記セルラーネットワークの加入者としての前記無線ローカルエリアネットワークへのアクセス権を付与することを認可するステップと、
前記無線ローカルエリアネットワークが認可されたとおりに前記携帯端末に前記無線ローカルエリアネットワークへのアクセス権を付与するステップとを含む方法。
【請求項７】
セルラーネットワークおよびマルチモード携帯端末によって実行される方法であって、前記携帯端末は、少なくともセルラーモードと無線モードとを切り替えることができ、前記セルラーネットワークの加入者に対応しており、無線ローカルエリアネットワークおよびセルラーネットワークはそれぞれ別々の事業体によって管理され、
前記携帯端末が前記無線ローカルエリアネットワークへのアクセス権を要求するステップと、
前記セルラーネットワークが前記携帯端末による要求から前記携帯端末および前記無線ローカルエリアネットワークを識別するステップと、
前記識別するステップに基づいて、前記セルラーネットワークが前記無線ローカルエリアネットワークが前記携帯端末に前記セルラーネットワークの加入者としての前記無線ローカルエリアネットワークへのアクセス権を付与することを認可するステップと、
前記携帯端末が前記無線ローカルエリアネットワークにアクセスするステップとを含む方法。
【請求項８】
マルチモード携帯端末を提供するためのセルラーネットワーク内の装置であって、前記携帯端末は、少なくともセルラーモードと無線モードとを切り替えることができ、前記セルラーネットワークの加入者に対応しており、無線ローカルエリアネットワークおよびセルラーネットワークはそれぞれ別々の事業体によって管理され、
前記無線ローカルエリアネットワークへのアクセスに対する前記携帯端末による要求から前記携帯端末および前記無線ローカルエリアネットワークを識別するための識別モジュールと、
前記携帯端末および前記無線ローカルエリアネットワークを識別するステップに基づいて前記無線ローカルエリアネットワークが前記携帯端末に前記セルラーネットワークの加入者としての前記無線ローカルエリアネットワークへのアクセス権を付与することを認可するために前記識別モジュールに通信可能なように結合されている認可モジュールとを備える装置。
【請求項９】
マルチモード携帯端末を提供するための無線ローカルエリアネットワーク内の装置であって、前記携帯端末は、少なくともセルラーモードと無線モードとを切り替えることができ、セルラーネットワークの加入者に対応しており、前記無線ローカルエリアネットワークおよびセルラーネットワークはそれぞれ別々の事業体によって管理され、
要求を伝送するための伝送モジュールと、
前記携帯端末に前記セルラーネットワークの加入者としての前記無線ローカルエリアネットワークへのアクセス権を付与する認可を前記セルラーネットワークから受信するための受信モジュールと、
前記携帯端末に認可されたとおりに前記無線ローカルエリアネットワークへのアクセス権を付与するために受信モジュールに通信可能なように結合されている付与モジュールとを備える装置。
【請求項１０】
少なくともセルラーモードと無線モードとを切り替えることができ、セルラーネットワークの加入者に対応する、マルチモード携帯端末であって、
前記セルラーネットワークを管理している事業体とは別の事業体によって管理されている無線ローカルエリアネットワークへのアクセスを要求するための要求モジュールと、
前記セルラーネットワークの加入者として前記無線ローカルエリアネットワークにアクセスするために前記要求モジュールに通信可能なように結合されているアクセスモジュールとを備えるマルチモード携帯端末。
【請求項１１】
コンピュータ可読プログラムが格納されているコンピュータ可読媒体を備えるコンピュータプログラム製品であって、前記コンピュータ可読プログラムは、セルラーネットワーク内のノードのコンピュータプロセッサにロードされると前記コンピュータプロセッサをプログラムされたコンピュータプロセッサに変換し、実行されると、このプログラムにより、プログラムされたコンピュータプロセッサは、
無線ローカルエリアネットワークへのアクセスのためマルチモード携帯端末による要求から前記マルチモード携帯端末および前記無線ローカルエリアネットワークを識別するステップであって、前記携帯端末は、少なくともセルラーモードと無線モードとを切り替えることができ、前記セルラーネットワークの加入者に対応しており、前記セルラーネットワークが前記無線ローカルエリアネットワークを管理している事業体とは別の事業体によって管理される、ステップと、
前記携帯端末および前記無線ローカルエリアネットワークを識別するステップに基づいて、前記無線ローカルエリアネットワークが前記携帯端末に前記セルラーネットワークの加入者としての前記無線ローカルエリアネットワークへのアクセス権を付与することを認可するステップとを実行するコンピュータプログラム製品。
【請求項１２】
コンピュータ可読プログラムが格納されているコンピュータ可読媒体を備えるコンピュータプログラム製品であって、前記コンピュータ可読プログラムは、無線ローカルエリアネットワーク内のノードのコンピュータプロセッサにロードされると前記コンピュータプロセッサをプログラムされたコンピュータプロセッサに変換し、実行されると、このプログラムにより、プログラムされたコンピュータプロセッサは、
マルチモード携帯端末に前記無線ローカルエリアネットワークへのアクセス権を付与する認可をセルラーネットワークから受信するステップであって、前記携帯端末は、少なくともセルラーモードと無線モードとを切り替えることができ、前記セルラーネットワークの加入者に対応しており、前記セルラーネットワークが前記無線ローカルエリアネットワークを管理している事業体とは別の事業体によって管理される、ステップと、
前記携帯端末に前記セルラーネットワークの加入者として前記無線ローカルエリアネットワークへのアクセス権を付与するステップとを実行するコンピュータプログラム製品。
【請求項１３】
コンピュータ可読プログラムが格納されているコンピュータ可読媒体を備えるコンピュータプログラム製品であって、前記コンピュータ可読プログラムは、少なくともセルラーモードと無線モードとを切り替えることができるマルチモード携帯端末のコンピュータプロセッサにロードされると前記コンピュータプロセッサをプログラムされたコンピュータプロセッサに変換し、実行されると、このプログラムにより、プログラムされたコンピュータプロセッサは、
無線ローカルエリアネットワークへのアクセスを要求するステップと、
セルラーネットワークの加入者として前記無線ローカルエリアネットワークにアクセスするステップであって、それぞれのネットワークが別々の事業体によって管理される、ステップとを実行するコンピュータプログラム製品。
【請求項１４】
マルチモード携帯端末に無線ローカルエリアネットワークへのアクセス権を付与するセルラーネットワークノードであって、前記携帯端末は、少なくともセルラーモードと無線モードとを切り替えることができ、セルラーネットワークの加入者に対応しており、前記無線ローカルエリアネットワークおよびセルラーネットワークはそれぞれ別々の事業体によって管理され、
前記携帯端末とのセルラー通信の送受信を行うように構成されたトランシーバと、
前記無線ローカルエリアネットワークに通信可能なように結合されたプロセッサであって、
前記携帯端末および前記無線ローカルエリアネットワークを識別し、
前記携帯端末および前記無線ローカルエリアネットワークを識別するステップに基づいて、前記無線ローカルエリアネットワークが前記携帯端末に前記セルラーネットワークの加入者としての前記無線ローカルエリアネットワークへのアクセス権を付与することを認可するようにプログラムされたプロセッサとを備える無線ローカルエリアネットワークノード。
【請求項１５】
マルチモード携帯端末に無線ローカルエリアネットワークへのアクセス権を付与する無線ローカルエリアネットワークノードであって、前記携帯端末は、少なくともセルラーモードと無線モードとを切り替えることができ、セルラーネットワークの加入者に対応しており、前記無線ローカルエリアネットワークおよびセルラーネットワークはそれぞれ別々の事業体によって管理され、
前記携帯端末との無線通信の送受信を行うように構成されたトランシーバと、
前記携帯端末に前記セルラーネットワークの加入者としての前記無線ローカルエリアネットワークへのアクセス権を付与するようにプログラムされた前記セルラーネットワークに通信可能なように結合されているプロセッサとを備える無線ローカルエリアネットワークノード。
【請求項１６】
少なくともセルラーモードと無線モードとを切り替えることができ、セルラーネットワークの加入者に対応する、マルチモード携帯端末であって、
セルラー通信の送受信を行うように構成されているセルラートランシーバと、
無線通信の送受信を行うように構成されている無線ローカルエリアネットワークトランシーバと、
無線ローカルエリアネットワークのアクセスおよび前記セルラーネットワークの加入者としての前記無線ローカルエリアネットワークのアクセスを可能にするようにプログラムされている前記セルラーネットワークおよび前記無線ローカルエリアネットワークに通信可能なように結合されているプロセッサであって、それぞれのネットワークは別々の事業体によって管理される、プロセッサとを備えるマルチモード携帯端末。